(57)【特許請求の範囲】
【請求項１】
白黒処理およびフルカラー処理を含む複数のカラー処理モードのいずれかで原稿画像を複写する画像形成装置において、
前記原稿画像を読み取る読取手段と、
前記読取手段で読み取った原稿画像の全面に基づいて検知した地色レベルに応じて、該読取手段で再度読み取った原稿画像の地色を除去する第１の地色除去手段と、
前記読取手段で読み取った原稿画像の微小単位に基づいて検知した地色レベルに応じて、該原稿画像の地色を除去する第２の地色除去手段と、
前記カラー処理モードが前記フルカラー処理の場合は前記第１の地色除去手段を選択し、該カラー処理モードが前記白黒処理の場合は前記第２の地色除去手段を選択する地色除去選択手段と
を具備することを特徴とする画像形成装置。
【請求項２】
白黒処理、フルカラー処理及び原稿画像に応じて該白黒処理または該フルカラー処理どちらか一方を自動的に選択するカラー自動処理とを含む複数のカラー処理モードのいずれかで原稿画像を複写する画像形成装置において、
前記原稿画像を読み取る読取手段と、
前記読取手段で読み取った原稿画像の全面に基づいて検知した地色レベルに応じて、該読取手段で再度読み取った原稿画像の地色を除去する第１の地色除去手段と、
前記読取手段で読み取った原稿画像の微小単位に基づいて検知した地色レベルに応じて、該原稿画像の地色を除去する第２の地色除去手段と、
前記読取手段で読み取った原稿画像がカラー画像であるか否かを判別するカラー画像判別手段と
を具備し、
前記カラー処理モードが前記カラー自動処理の場合は前記カラー画像判別手段による前記原稿画像に対するカラー画像の判別と、前記第１の地色除去手段による該原稿画像の全面に基づく地色レベルの検知と、前記第２の地色除去手段による該原稿画像の微小単位に基づく地色レベルの検知とを同時に行い、
前記カラー画像判別手段でカラー画像ではないと判別した場合は前記原稿画像に対して前記第２の地色除去手段による地色除去を行い、
前記カラー画像判別手段でカラー画像であると判別した場合は前記原稿画像を再度読み取り、該読み取った原稿画像に対して前記第１の地色除去手段による地色除去を行う
ことを特徴とする画像形成装置。
【請求項３】
白黒処理およびフルカラー処理を含む複数のカラー処理モードのいずれかで原稿画像を複写する画像形成方法において、
読取手段が前記原稿画像を読み取り、
地色除去選択手段は、
前記カラー処理モードが前記フルカラー処理の場合は前記読取手段で読み取った原稿画像の全面に基づいて検知した地色レベルに応じて、該読取手段で再度読み取った原稿画像の地色を除去する第１の地色除去手段を選択し、
前記カラー処理モードが前記白黒処理の場合は前記読取手段で読み取った原稿画像の微小単位に基づいて検知した地色レベルに応じて、前記原稿画像の地色を除去する第２の地色除去手段を選択する
ことを特徴とする画像形成方法。
【請求項４】
白黒処理、フルカラー処理及び原稿画像に応じて該白黒処理または該フルカラー処理どちらか一方を自動的に選択するカラー自動処理とを含む複数のカラー処理モードのいずれかで原稿画像を複写する画像形成方法において、
読取手段が前記原稿画像を読み取り、
前記カラー処理モードが前記カラー自動処理の場合はカラー画像判別手段が前記読取手段で読み取った原稿画像がカラー画像であるか否かを判別するとともに、第１の地色除去手段が該原稿画像の全面に基づく地色レベルを検知するとともに、第２の地色除去手段が該原稿画像の微小単位に基づく地色レベルを検知し、
前記カラー画像判別手段でカラー画像ではないと判別した場合、前記第２の地色除去手段が前記検知した該原稿画像の全面に基づく地色レベルに応じて、該原稿画像の地色を除去し、
前記カラー画像判別手段でカラー画像であると判別した場合、前記原稿画像を再度読み取り、前記第１の地色除去手段が前記検知した該原稿画像の微小単位に基づく地色レベルに応じて、該再度読み取った原稿画像の地色を除去する
ことを特徴とする画像形成方法。
【発明の詳細な説明】
【０００１】
【発明の属する技術分野】
本発明は、画像形成装置および画像形成方法に関し、特に、印刷モードに応じて複数の地色除去処理を選択することで、最適な画像を取得する画像形成装置および画像形成方法に関する。
【０００２】
【従来の技術】
カラー複写機は、カラー印刷と白黒印刷とが混在する場合が多い。ここで、白黒印刷に対して白黒印刷特有の画像処理を行い、また、カラー印刷に対してカラー印刷特有の画像処理を行うことで、高品質な出力結果を取得することができる。
【０００３】
このような画像処理において、地色や背景の地色レベルを検知し、検知した地色レベルに基づいて地色や背景を除去する地色除去処理が含まれ、この地色除去処理として２つの処理がある。
【０００４】
１つは、プリスキャン（本来の画像読み取りの前に、予め速い速度で行う粗いスキャン）を行い、原稿全面の地色レベルを検知し、検知した地色レベルに基づいて地色の除去量を設定し、再度原稿をスキャンする時に地色除去を行う処理である。このプリスキャンで地色を検地する処理（以下、プリスキャン地色除去処理とする）は、原稿の地色を正確に検知できることで、画質を優先する地色除去処理が可能になる。
【０００５】
もう１つは、スキャンを開始して最初にスキャンを開始して最初にスキャンする原稿の先端部分におけるライン上の画像データをサンプリング領域とし、取得したサンプリング領域から地色レベルを検知し、検知した地色レベルに基づいて地色の除去量を設定し、１回のスキャンで原稿全面の地色除去を行う処理である。この１回のスキャンで地色を検地する処理（以下、速度優先地色除去処理とする）は、生産性およびＦＣＯＴ（Ｆａｓｔ  Ｃｏｐｙ  Ｏｕｔｐｕｔ  Ｔｉｍｅ）を向上することで、速度を優先する地色除去処理が可能になる。
【０００６】
【発明が解決しようとする課題】
しかし、プリスキャン地色除去処理では、スキャンを２回行う時間が生産性およびＦＣＯＴが低下してしまう問題がある。また、速度優先地色除去処理では、原稿の先端部分のみサンプリング領域としているので、地色の誤検知等の問題がある。
【０００７】
そこで、本発明は、カラー印刷に対して画質を優先するプリスキャン地色除去処理を選択することや、白黒印刷に対して速度を優先する速度優先地色除去処理を選択することで、ユーザの必要性に応じた最適な地色除去処理を選択することができる画像形成装置および画像形成方法を提供することを目的とする。
【０００８】
【課題を解決するための手段】
上記目的を達成するため、請求項１の発明は、白黒処理およびフルカラー処理を含む複数のカラー処理モードのいずれかで原稿画像を複写する画像形成装置において、前記原稿画像を読み取る読取手段と、前記読取手段で読み取った原稿画像の全面に基づいて検知した地色レベルに応じて、該読取手段で再度読み取った原稿画像の地色を除去する第１の地色除去手段と、前記読取手段で読み取った原稿画像の微小単位に基づいて検知した地色レベルに応じて、該原稿画像の地色を除去する第２の地色除去手段と、前記カラー処理モードが前記フルカラー処理の場合は前記第１の地色除去手段を選択し、該カラー処理モードが前記白黒処理の場合は前記第２の地色除去手段を選択する地色除去選択手段とを具備することを特徴とする。
【０００９】
また、請求項２の発明は、白黒処理、フルカラー処理及び原稿画像に応じて該白黒処理または該フルカラー処理どちらか一方を自動的に選択するカラー自動処理とを含む複数のカラー処理モードのいずれかで原稿画像を複写する画像形成装置において、前記原稿画像を読み取る読取手段と、前記読取手段で読み取った原稿画像の全面に基づいて検知した地色レベルに応じて、該読取手段で再度読み取った原稿画像の地色を除去する第１の地色除去手段と、前記読取手段で読み取った原稿画像の微小単位に基づいて検知した地色レベルに応じて、該原稿画像の地色を除去する第２の地色除去手段と、前記読取手段で読み取った原稿画像がカラー画像であるか否かを判別するカラー画像判別手段とを具備し、前記カラー処理モードが前記カラー自動処理の場合は前記カラー画像判別手段による前記原稿画像に対するカラー画像の判別と、前記第１の地色除去手段による該原稿画像の全面に基づく地色レベルの検知と、前記第２の地色除去手段による該原稿画像の微小単位に基づく地色レベルの検知とを同時に行い、前記カラー画像判別手段でカラー画像ではないと判別した場合は前記原稿画像に対して前記第２の地色除去手段による地色除去を行い、前記カラー画像判別手段でカラー画像であると判別した場合は前記原稿画像を再度読み取り、該読み取った原稿画像に対して前記第１の地色除去手段による地色除去を行うことを特徴とする。
【００１０】
また、請求項３の発明は、白黒処理およびフルカラー処理を含む複数のカラー処理モードのいずれかで原稿画像を複写する画像形成方法において、読取手段が前記原稿画像を読み取り、地色除去選択手段は、前記カラー処理モードが前記フルカラー処理の場合は前記読取手段で読み取った原稿画像の全面に基づいて検知した地色レベルに応じて、該読取手段で再度読み取った原稿画像の地色を除去する第１の地色除去手段を選択し、前記カラー処理モードが前記白黒処理の場合は前記読取手段で読み取った原稿画像の微小単位に基づいて検知した地色レベルに応じて、前記原稿画像の地色を除去する第２の地色除去手段を選択することを特徴とする。
【００１１】
また、請求項４の発明は、白黒処理、フルカラー処理及び原稿画像に応じて該白黒処理または該フルカラー処理どちらか一方を自動的に選択するカラー自動処理とを含む複数のカラー処理モードのいずれかで原稿画像を複写する画像形成方法において、読取手段が前記原稿画像を読み取り、前記カラー処理モードが前記カラー自動処理の場合はカラー画像判別手段が前記読取手段で読み取った原稿画像がカラー画像であるか否かを判別するとともに、第１の地色除去手段が該原稿画像の全面に基づく地色レベルを検知するとともに、第２の地色除去手段が該原稿画像の微小単位に基づく地色レベルを検知し、前記カラー画像判別手段でカラー画像ではないと判別した場合、前記第２の地色除去手段が前記検知した該原稿画像の全面に基づく地色レベルに応じて、該原稿画像の地色を除去し、前記カラー画像判別手段でカラー画像であると判別した場合、前記原稿画像を再度読み取り、前記第１の地色除去手段が前記検知した該原稿画像の微小単位に基づく地色レベルに応じて、該再度読み取った原稿画像の地色を除去することを特徴とする。
【００１８】
【発明の実施の形態】
以下、本発明に係わる画像形成装置および画像形成方法の実施の形態について添付図面を参照して詳細に説明する。
【００１９】
図１は、本発明に係わる画像形成装置の基本構成を示すブロック図である。
【００２０】
図１に示すように、本発明に係わる画像形成装置は、画像入力処理を行う画像入力部１０１、前段補正処理部１０２、前段色空間変換部１０３、画像処理部１０４、後段色空間変換部１０５、後段補正処理部１０６、画像出力部１０７によって構成される。
【００２１】
ここで、画像入力部１０１は、原稿を読み取るセンサ等を具備し、本実施例においてはＲ（赤）、Ｇ（緑）、Ｂ（青）の３原色に色分解をして読み込む３ラインＣＣＤセンサとして構成され、各色（Ｒ、Ｇ、Ｂ）を読み取る読取部を備えている。ここで、３ラインＣＣＤセンサとは、各色Ｒ、Ｇ、ＢのＣＣＤを色毎に線状に配列し、これらを副走査方向に沿って所定間隔隔てて平行に配列したものである。
【００２２】
また、前段補正処理部１０２は、画像入力部１０１の３ラインＣＣＤセンサからの各色Ｒ、Ｇ、Ｂの入力画像データに対してシェーディング補正およびギャップ補正等をそれぞれ行う。ここで、シェーディング補正とは、入力画像データにおいて副走査方向に沿って変動する白レベルが一定になるように補正することである。また、ギャップ補正とは、３ラインＣＣＤは原稿上の同一個所を読み取るタイミングが各色毎に異なるため、このタイミングが一致するように補正することである。
【００２３】
また、前段色空間変換部１０３は、画像入力部１０１からの各色Ｒ、Ｇ、Ｂの入力画像データをＬ＊（エルスター）、ａ＊（エースター）、ｂ＊（ビースター）に変換する。
【００２４】
また、画像処理部１０４は、前段色空間変換部１０３からの各色Ｌ＊、ａ＊、ｂ＊の画像データに対して地色除去処理、変倍処理および空間フィルタ補正処理をそれぞれ行う。
【００２５】
また、後段色空間変換部１０５は、画像処理部１０４からの各色Ｌ＊、ａ＊、ｂ＊の画像データを出力用のＣ（シアン）、Ｍ（マゼンタ）、Ｙ（イエロー）、Ｋ（ブラック）に変換する。
【００２６】
また、後段補正処理部１０６は、後段色空間変換部１０５からの各色（Ｃ、Ｍ、Ｙ、Ｋ）出力に対し、出力階調補正等をそれぞれ行い、画像出力部１０７に出力する。
【００２７】
次に、画像処理部１０４が行う地色除去処理について説明する。
【００２８】
図２は、画像処理部１０４内の地色検出および地色除去の処理手順を示すブロック図である。
【００２９】
図２に示すように、Ｌ＊、ａ＊、ｂ＊系の画像データは、画像処理部１０４内の微小領域地色検知部２０４および全面地色検知部２０５に入力される。微小領域地色検知部２０４は入力されたＬ＊、ａ＊、ｂ＊系の画像データの微小領域に対して地色検知を施し、全面地色検知部２０５は入力されたＬ＊、ａ＊、ｂ＊系の画像データの全面に対して地色検知を施す。また、地色検知に並行してＬ＊、ａ＊、ｂ＊系の画像データは、拡大縮小部２０１において拡大若しくは縮小処理を施され、空間フィルタ部２０２において空間フィルタ補正処理が施され、地色除去部２０３に入力される。ここで、微小領域地色検知部２０４および全面地色検知部２０５で検知されたＬ＊、ａ＊、ｂ＊系の画像データの地色レベルは、地色除去部２０３に入力される。
【００３０】
そして、Ｌ＊、ａ＊、ｂ＊系の画像データとＬ＊、ａ＊、ｂ＊系の画像データの地色レベルが入力された地色除去部２０３は、Ｌ＊、ａ＊、ｂ＊系の画像データの地色レベルに基づいてＬ＊、ａ＊、ｂ＊系の画像データに対して地色除去を施す。
【００３１】
ここで、画像データの地色や背景の地色レベルを検知し、検知した地色レベルに基づいて地色や背景を除去する処理（以下、地色除去処理とする）として２通りの処理がある。
【００３２】
１つは、プリスキャン（本来の画像読み取りの前に、予め速い速度で行う粗いスキャン）を行い、原稿全面の地色レベルを検知し、検知した地色レベルに基づいて地色の除去量を設定し、再度原稿をスキャンする時に地色除去を行うプリスキャン地色除去処理である。
【００３３】
図２に示すような地色検知および地色除去の処理手順においては、全面地色検知部２０５においてプリスキャンで読み取った画像データから地色レベルを検知し、検知した地色レベルは地色除去部２０３に入力されて一時保存され、２回目のスキャンで読み取った画像データが地色除去部２０３に入力されると、地色除去部２０３において一時保存されていた地色レベルに基づいて画像データに対して地色除去を施す。
【００３４】
このプリスキャン地色除去処理は、原稿の地色を正確に検知できることで、画質を優先する地色除去処理が可能になる。しかし、スキャンを２回行う時間が生産性およびＦＣＯＴが低下してしまう。
【００３５】
もう１つは、スキャンを開始して最初にスキャンする原稿の先端部分におけるライン上の画像データをサンプリング領域とし、取得したサンプリング領域から地色レベルを検知し、検知した地色レベルに基づいて地色の除去量を設定し、１回のスキャンで原稿全面の地色除去を行う速度優先地色除去処理である。
【００３６】
図２に示すような地色検知および地色除去の処理手順においては、微小領域地色検知部２０４においてスキャンで読み取った原稿の画像データからライン毎に地色レベルを検知し、検知した地色レベルは１つのライン毎に地色除去部２０３に入力されて、地色除去部２０３に入力されるスキャンで読み取った画像データに対して１つのライン毎に地色除去を施す。
【００３７】
この速度優先地色除去処理は、生産性およびＦＣＯＴを向上することで、速度を優先する地色除去処理が可能になる。しかし、原稿の先端部分のみサンプリング領域としているので、地色の誤検知等の問題がある。
【００３８】
そこで、本発明に係わる画像形成装置は、カラー印刷に対して画質を優先するプリスキャン地色除去処理を選択することや、白黒印刷に対して速度を優先する速度優先地色除去処理を選択することができる。
【００３９】
図３は、本発明に係わる画像形成装置が具備する表示画面に表示される「地色除去設定」画面３０１の一例を示す図である。
【００４０】
本実施例では、本発明に係わる画像形成装置は、カラー印刷を行うカラーモードという機能および白黒印刷を行う白黒モードという機能を具備し、カラーモードおよび白黒モードそれぞれに対してプリスキャン地色除去処理若しくは速度優先地色除去処理を設定することができる。
【００４１】
ユーザは、本発明に係わる画像形成装置が具備する表示画面の「メインメニュー」画面（図示せず）を操作することで、図３に示すような「地色除去設定」画面３０１を表示画面に表示させる。ここで、「地色除去設定」画面３０１には、「カラーモード」ボタン３０２、「白黒モード」ボタン３０３、「戻る」ボタン３０４が表示される。
【００４２】
そして、「カラーモード」ボタン３０２若しくは「白黒モード」ボタン３０３を操作等（例えば、押下）等することで、図４に示すような「地色除去処理選択」画面４０１が表示される。また、「戻る」ボタン３０４を操作等することで、「メインメニュー」画面に戻ることができる。
【００４３】
図４は、本発明に係わる画像形成装置が具備する表示画面に表示される「地色除去処理選択」画面４０１の一例を示す図である。
【００４４】
図４に示すように、「地色除去処理選択」画面４０１には、「プリスキャン地色除去処理」ボタン４０２、「速度優先地色除去処理」ボタン４０３、「取消」ボタン４０４、「戻る」ボタン４０５が表示される。
【００４５】
例えば、図３に示す「地色除去設定」画面３０１に表示されている「カラーモード」ボタン３０２を操作等することで、「地色除去処理選択」画面４０１を表示させた場合、カラーモードにおいて画質を優先するプリスキャン地色除去処理を施したければ、「プリスキャン地色除去処理」ボタン４０２を操作等することで、本発明に係わる画像形成装置が具備する制御部に「カラーモードにおいてプリスキャン地色除去処理を施す」という情報が設定され、「プリスキャン地色除去処理」ボタン４０２は、図４に示すようなハイライト表示に変化する。また、ハイライト表示になっている「プリスキャン地色除去処理」ボタン４０２を操作等することで、カラーモードにおいてプリスキャン地色除去処理を解除することができ、「戻る」ボタン４０５を操作等することで、「地色除去設定」画面３０１に戻ることができる。なお、「速度優先地色除去処理」ボタン４０３についても同様である。
【００４６】
なお、「取消」ボタン４０４を操作することで、「地色除去処理選択」画面４０１で選択した地色除去処理方法が無効になり、「地色除去設定」画面３０１に戻る。例えば、「プリスキャン地色除去処理」ボタン４０２を操作して「プリスキャン地色除去処理」ボタン４０２がハイライト表示に変化しても、「取消」ボタン４０４を操作すると、「プリスキャン地色除去処理」ボタン４０２がグレイ表示に変化して「地色除去設定」画面３０１に戻る。
【００４７】
本発明に係わる画像形成装置は、カラー印刷を行うカラーモードおよび白黒印刷を行う白黒モード以外に、印刷する原稿に対してカラー原稿検知を行うことで、カラー原稿と検知された場合はカラー印刷を行い、白黒原稿と検知された場合は白黒印刷を行うカラー自動モードという機能を更に具備している。このカラー自動モードを実施している時は、カラー印刷と白黒印刷とを並列に処理する並列処理を行っている。
【００４８】
そして、このカラー自動モードにおいて、カラー印刷および白黒印刷それぞれに対してプリスキャン地色除去処理若しくは速度優先地色除去処理を設定することができる。
【００４９】
ここで、カラー自動モードにおいても、図３に示す「地色除去設定」画面３０１および図４に示す「地色除去処理選択」画面４０１を操作等することで、カラー印刷および白黒印刷に対してプリスキャン地色除去処理若しくは速度優先地色除去処理を選択することができる。
【００５０】
図５は、本発明に係わる画像形成装置がカラー自動モードの機能を具備する構成を示すブロック図である。
【００５１】
図５に示すように、本発明に係わる画像形成装置がカラー自動モードの機能を具備する構成は、画像入力処理を行う画像入力部５０１、前段補正処理部５０２、前段色空間変換部５０３、カラー原稿検知部５０４、地色検知部５０５、カラー画像処理部５０６、カラー画像地色除去部５０７、白黒画像処理部５０８、白黒画像地色除去部５０９、後段色空間変換部５１０、後段補正処理部５１１、画像蓄積部５１２、画像出力部５１３によって構成される。
【００５２】
ここで、画像入力部５０１、前段補正処理部５０２、前段色空間変換部５０３、後段色空間変換部５１０、後段補正処理部５１１、画像出力部５１３は、図１で示した構成と同様な機能を具備する。
【００５３】
また、カラー原稿検知部５０４は、Ｌ＊、ａ＊、ｂ＊の画像データがカラー画像であるか否かの判別を行う。
【００５４】
また、地色検知部５０５は、図２で示した微小領域地色検知部２０４および全面地色検知部２０５を具備し、微小領域地色検知部２０４および全面地色検知部２０５は入力されたＬ＊、ａ＊、ｂ＊系に変換された画像データに対して地色検知を施し、検知された地色レベルはカラー画像地色除去部５０７と白黒画像地色除去部５０９とに入力される。
【００５５】
また、カラー画像処理部５０６は、拡大縮小部２０１および空間フィルタ部２０２を具備し、入力されたＬ＊、ａ＊、ｂ＊系の画像データに対して変倍処理および空間フィルタ補正処理をそれぞれ行う。
【００５６】
また、カラー画像地色除去部５０７は、カラー画像処理部５０６からのＬ＊、ａ＊、ｂ＊系の画像データと地色検知部５０５からの地色レベルとが入力されると、地色レベルに基づいてＬ＊、ａ＊、ｂ＊系の画像データに対して地色除去を施す。
【００５７】
また、白黒画像処理部５０８にはＬ＊、ａ＊、ｂ＊系の画像データからＬ＊の画像データが入力される。そして、白黒画像処理部５０８は拡大縮小部２０１を具備し、Ｌ＊の画像データに対して変倍処理を行う。
【００５８】
また、白黒画像地色除去部５０９は、白黒画像処理部５０８からのＬ＊の画像データと地色検知部５０５からの地色レベルとが入力されると、地色レベルに基づいてＬ＊の画像データに対して地色除去を施す。ただし、本実施例では、Ｌ＊の画像データが白黒画像処理部５０８に入力されるが、ａ＊の画像データ、ｂ＊の画像データが入力されても適用可能である。
【００５９】
また、画像蓄積部５１２は、カラー画像地色除去部５０７で地色除去を施されたカラー画像および白黒画像地色除去部５０９で地色除去を施された白黒画像を一時蓄積する。
【００６０】
ここで、カラー自動モードにおいて、カラー印刷および白黒印刷それぞれに対してプリスキャン地色除去処理若しくは速度優先地色除去処理を設定することができる。
【００６１】
次に、カラー自動モードにおいて、地色除去処理の選択の処理手順について図６のフローチャートを参照して説明する。本実施例では、カラー印刷に対してプリスキャン地色除去処理を選択し、白黒印刷に対して速度優先地色除去処理を選択するように設定されている。
【００６２】
１回目のスキャンを開始し（ステップＳ６０１）、全面地色検知部２０５が１回目のスキャンで読み取った画像データの全面に対して地色検知を行うとともに、微小領域地色検知部２０４が１回目のスキャンで読み取った画像データからライン毎に対して地色検知を行い（ステップＳ６０２）、１回目のスキャンで読み取った画像データに対して白黒画像処理を行うとともに、白黒画像処理をした白黒画像データに対して微小領域地色検知部２０４で検知した地色レベルに基づいて速度優先地色除去処理を行い（ステップＳ６０３）、カラー原稿検知を行う（ステップＳ６０４）。
【００６３】
カラー原稿検知の判別結果が白黒原稿の場合（ステップＳ６０５でＮＯ）、速度優先地色除去処理を行った白黒画像を出力し（ステップＳ６０６）、処理手順を終了する。
【００６４】
また、カラー原稿検知の判別結果がカラー原稿の場合（ステップＳ６０５でＹＥＳ）、２回目のスキャンを開始し（ステップＳ６０７）、２回目のスキャンで読み取った画像データに対してカラー画像処理を行うとともに、カラー画像処理をしたカラー画像データに対して全面地色検知部２０５で検知した地色レベルに基づいてプリスキャン地色除去処理を行い（ステップＳ６０８）、プリスキャン地色除去処理を行ったカラー画像を出力し（ステップＳ６０９）、処理手順を終了する。
【００６５】
更に、カラー自動モードにおいてカラー印刷で速度優先地色除去処理を設定すると、１回のスキャンでカラー画像を出力することができ、ユーザの必要性に応じた最適な地色除去処理を行い、かつ余計なスキャンを行うことがなくなる。
【００６６】
つまり、カラー自動モードにおいてカラー印刷および白黒印刷に対して地色除去処理をそれぞれ設定することで、カラー印刷および白黒印刷におけるユーザの必要性に応じた処理が可能になる
【発明の効果】
以上説明したように本発明によれば、カラー印刷に対して画質を優先するプリスキャン地色除去処理を選択することや、白黒印刷に対して速度を優先する速度優先地色除去処理を選択することで、ユーザの必要性に応じた最適な地色除去処理を選択することができるという効果を奏する。
【図面の簡単な説明】
【図１】本発明に係わる画像形成装置の基本構成を示すブロック図である。
【図２】画像処理部１０４内の地色検出および地色除去の処理手順を示すブロック図である。
【図３】本発明に係わる画像形成装置が具備する表示画面に表示される「地色除去設定」画面３０１の一例を示す図である。
【図４】本発明に係わる画像形成装置が具備する表示画面に表示される「地色除去処理選択」画面４０１の一例を示す図である。
【図５】本発明に係わる画像形成装置がカラー自動モードの機能を具備する構成を示すブロック図である。
【図６】カラー自動モードにおいて、地色除去処理の選択の処理手順を示すフローチャートである。
【符号の説明】
１０１    画像入力部
１０２    前段補正処理部
１０３    前段色空間変換部
１０４    画像処理部
１０５    後段色空間変換部
１０６    後段補正処理部
１０７    画像出力部
２０１    拡大縮小部
２０２    空間フィルタ部
２０３    地色除去部
２０４    微小領域地色検知部
２０５    全面地色検知部
３０１    「地色除去設定」画面
３０２    「カラーモード」ボタン
３０３    「白黒モード」ボタン
３０４    「戻る」ボタン
４０１    「地色除去処理選択」画面
４０２    「プリスキャン地色除去処理」ボタン
４０３    「速度優先地色除去処理」ボタン
４０４    「取消」ボタン
４０５    「戻る」ボタン
５０１    画像入力部
５０２    前段補正処理部
５０３    前段色空間変換部
５０４    カラー原稿検知部
５０５    地色検知部
５０６    カラー画像処理部
５０７    カラー画像地色除去部
５０８    白黒画像処理部
５０９    白黒画像地色除去部
５１０    後段色空間変換部
５１１    後段補正処理部
５１２    画像蓄積部
５１３    画像出力部
【図１】
0004003439.tif 000002
【図２】
0004003439.tif 000003
【図３】
0004003439.tif 000004
【図４】
0004003439.tif 000005
【図５】
0004003439.tif 000006
【図６】
0004003439.tif 000007